【手続補正書】
【提出日】平成28年3月10日(2016.3.10)
【手続補正１】
【補正対象書類名】特許請求の範囲
【補正対象項目名】全文
【補正方法】変更
【補正の内容】
【特許請求の範囲】
【請求項１】
タンク装置であって、
ガス消費機器に供給する燃料ガスを貯留する燃料ガスタンクと、
該燃料ガスタンクのガス圧を検出する第１圧力センサーと、
前記燃料ガスタンクから前記ガス消費機器に供給される燃料ガスのガス圧を、前記燃料ガスタンクから前記ガス消費機器に到るガス供給管路で検出する第２圧力センサーと、
前記燃料ガスタンクへのガス充填がなされた際の前記第１圧力センサーの検出ガス圧と、前記ガス充填がなされた後に前記燃料ガスタンクから前記ガス消費機器に最初に燃料ガスが供給される際の前記第２圧力センサーの検出ガス圧とのガス圧差分を求め、該ガス圧差分が所定の閾値範囲に収まっていると前記第１圧力センサーと前記第２圧力センサーのいずれにも出力異常はないと判定するセンサー出力判定部とを備える、
タンク装置。
【請求項２】
前記第１圧力センサーは、前記燃料ガスタンクへのガス充填を図るためのガス充填経路において、該経路が閉鎖された状態で前記燃料ガスタンクのガス圧を検出する請求項１に記載のタンク装置。
【請求項３】
請求項１または請求項２に記載のタンク装置であって、
前記燃料ガスタンクを複数備え、該複数の燃料ガスタンクを前記ガス消費機器へのガス供給に順次用いるように運用するタンク運用部を有し、
前記センサー出力判定部は、
前記燃料ガスタンクへのガス充填がなされた際の前記第１圧力センサーの検出ガス圧を記憶し、前記タンク運用部によりガス供給に新たに用いられるようになった前記燃料ガスタンクから前記ガス充填がなされた後に最初に前記ガス消費機器に燃料ガスが供給される際の前記第２圧力センサーの検出ガス圧と前記記憶した前記第１圧力センサーの検出ガス圧とのガス圧差分を求め、該ガス圧差分が所定の閾値範囲に収まっていると前記第１圧力センサーと第２圧力センサーのいずれにも出力異常はないと判定する、タンク装置。
【請求項４】
請求項１から請求項３のいずれか一項に記載のタンク装置であって、
前記センサー出力判定部は、
前記第１圧力センサーと前記第２圧力センサーに駆動電圧を印加するバッテリーの充電電圧が低下した状況下では、前記検出ガス圧を用いた出力異常の判定を実行しない、或いは、前記検出ガス圧を用いて判定した出力異常をクリアする、タンク装置。
【請求項５】
前記ガス消費機器は、燃料電池である請求項１から請求項４のいずれか一項に記載のタンク装置。
【請求項６】
燃料電池を搭載した車両であって、
ガス消費機器としての前記燃料電池に燃料ガスを供給する請求項１から請求項５のいずれか一項に記載のタンク装置を搭載する
車両。
【請求項７】
ガス消費機器に供給する燃料ガスを貯留する燃料ガスタンクの圧力検出に用いる圧力センサーの出力判定方法であって、
前記燃料ガスタンクへのガス充填がなされた際の前記燃料ガスタンクのガス圧を第１圧力センサーで検出して、前記燃料ガスタンクの充填時燃料ガス圧を得る工程と、
前記ガス充填がなされた後に前記燃料ガスタンクから前記ガス消費機器に最初に燃料ガスが供給される際の前記燃料ガスタンクのガス圧を、前記燃料ガスタンクから前記ガス消費機器に到るガス供給管路において第２圧力センサーで検出して、前記燃料ガスタンクの最先供給時燃料ガス圧を得る工程と、
前記得られた充填時燃料ガス圧と最先供給時燃料ガス圧とのガス圧差分を求め、該ガス圧差分が所定の閾値範囲に収まっていると前記第１圧力センサーと第２圧力センサーのいずれにも出力異常はないと判定する工程とを備える、
圧力センサーの出力判定方法。
【手続補正２】
【補正対象書類名】明細書
【補正対象項目名】０００６
【補正方法】変更
【補正の内容】
【０００６】
（１）本発明の一形態によれば、タンク装置が提供される。こタンク装置は、ガス消費機器に供給する燃料ガスを貯留する燃料ガスタンクと、該燃料ガスタンクのガス圧を検出する第１圧力センサーと、前記燃料ガスタンクから前記ガス消費機器に供給される燃料ガスのガス圧を、前記燃料ガスタンクから前記ガス消費機器に到るガス供給管路で検出する第２圧力センサーと、前記燃料ガスタンクへのガス充填がなされた際の前記第１圧力センサーの検出ガス圧と、前記ガス充填がなされた後に前記燃料ガスタンクから前記ガス消費機器に最初に燃料ガスが供給される際の前記第２圧力センサーの検出ガス圧とのガス圧差分を求め、該ガス圧差分が所定の閾値範囲に収まっていると前記第１圧力センサーと前記第２圧力センサーのいずれにも出力異常はないと判定するセンサー出力判定部とを備える。
【手続補正３】
【補正対象書類名】明細書
【補正対象項目名】００１３
【補正方法】変更
【補正の内容】
【００１３】
（７）本発明のまた別の形態によれば、圧力センサーの出力判定方法が提供される。この圧力センサーの出力判定方法は、ガス消費機器に供給する燃料ガスを貯留する燃料ガスタンクの圧力検出に用いる圧力センサーの出力判定方法であって、前記燃料ガスタンクへのガス充填がなされた際の前記燃料ガスタンクのガス圧を第１圧力センサーで検出して、前記燃料ガスタンクの充填時燃料ガス圧を得る工程と、前記ガス充填がなされた後に前記燃料ガスタンクから前記ガス消費機器に最初に燃料ガスが供給される際の前記燃料ガスタンクのガス圧を、前記燃料ガスタンクから前記ガス消費機器に到るガス供給管路において第２圧力センサーで検出して、前記燃料ガスタンクの最先供給時燃料ガス圧を得る工程と、前記得られた充填時燃料ガス圧と最先供給時燃料ガス圧とのガス圧差分を求め、該ガス圧差分が所定の閾値範囲に収まっていると前記第１圧力センサーと第２圧力センサーのいずれにも出力異常はないと判定する工程とを備える。
【手続補正４】
【補正対象書類名】明細書
【補正対象項目名】００５８
【補正方法】変更
【補正の内容】
【００５８】
このようにガス量（モル数）差分ΔＭを用いるタンク装置は、燃料電池といったガス消費機器に供給する燃料ガスを貯留する燃料ガスタンクと、該燃料ガスタンクのガス圧を検出する第１ガス圧センサーと、前記燃料ガスタンクから前記ガス消費機器に供給される燃料ガスのガス圧を、前記燃料ガスタンクから前記ガス消費機器に到るガス供給管路で検出する第２ガス圧センサーと、前記第１ガス圧センサーの検出ガス圧と前記検出タンク内温度とに基づいて前記燃料ガスタンクへのガス充填がなされた際の前記燃料ガスタンクの充填時燃料ガス量を算出すると共に、前記第２ガス圧センサーの検出ガス圧と前記検出タンク内温度とに基づいて前記ガス消費機器への最初のガス供給の際の前記燃料ガスタンクの最先供給時燃料ガス量を算出し、前記算出した充填時燃料ガス量と最先供給時燃料ガス量とのガス量圧差分が所定の閾値範囲に収まっていると前記第１ガス圧センサーと第２ガス圧センサーのいずれにも出力異常はないと判定するセンサー出力判定部とを備える構成となる。
【手続補正５】
【補正対象書類名】図面
【補正対象項目名】図３
【補正方法】変更
【補正の内容】
【図３】
2016084844.tif 000001
【手続補正６】
【補正対象書類名】図面
【補正対象項目名】図４
【補正方法】変更
【補正の内容】
【図４】
2016084844.tif 000002
【手続補正７】
【補正対象書類名】図面
【補正対象項目名】図５
【補正方法】変更
【補正の内容】
【図５】
2016084844.tif 000003